(57)【要約】【課題】  ＬＥＤ光源を利用しながら、まわりを全体的に照らすことのできる照明具の提供。【解決手段】  ＬＥＤ光源４ｂと、ＬＥＤ光源４ｂの前方に設けた光反射部２４を備え、光反射部２４は、中心に向かうにつれてＬＥＤ光源４ｂに近づくように傾斜を持たせてある。【選択図】      図９
2014013740.tif 000002
【特許請求の範囲】
【請求項１】
ＬＥＤ光源と、ＬＥＤ光源の前方に設けた光反射部を備え、光反射部は、中心に向かうにつれてＬＥＤ光源に近づくように傾斜を持たせてあることを特徴とする照明具。
【請求項２】
ＬＥＤ光源が設置されたケースの半径をｒ、ＬＥＤ光源から光反射部までの距離をｈ、光反射部の勾配をαとすると、ｒ／ｈ≒ｔａｎ２αの関係を満たすことを特徴とする請求項１記載の照明具。
【請求項３】
透光性を有する有底筒状の本体と、本体の開口部を塞ぐ蓋とを備え、内部にＬＥＤ電球を収容することを特徴とする照明具。
【請求項４】
蓋が内蓋と外蓋の二重構造となっており、内蓋と外蓋の間のスペースに乾燥剤を設けてあることを特徴とする請求項３記載の照明具。
【請求項５】
本体には、ＬＥＤ電球が発する光を周囲に拡散させるための加工が施されていることを特徴とする請求項３又は４記載の照明具。
【請求項６】
本体又は蓋に放熱板が外周側に張り出して設けてあることを特徴とする請求項３，４又は５記載の照明具。
【請求項７】
放熱板が本体に一体的に形成され、且つ放熱板に模様が刻まれていることを特徴とする請求項６記載の照明具。
【請求項８】
本体の側壁は、底部側に向かうにつれて径が小さくなるテーパー部を有することを特徴とする請求項３，４，５，６又は７記載の照明具。
【請求項９】
本体の底部にＬＥＤ電球の光を反射する光反射部を有し、光反射部は、中心に向かうにつれてＬＥＤ光源に近づくように傾斜を持たせてあることを特徴とする請求項３，４，５，６，７又は８記載の照明具。
【請求項１０】
ＬＥＤ光源が設置されたケースの半径をｒ、ＬＥＤ光源から光反射部までの距離をｈ、光反射部の勾配をαとすると、ｒ／ｈ≒ｔａｎ２αの関係を満たすことを特徴とする請求項９記載の照明具。
【請求項１１】
光反射部は、中心をＬＥＤ光源の中心に対してずらして配置してあることを特徴とする請求項１又は９記載の照明具。
【請求項１２】
ＬＥＤ光源からＬＥＤ光源が設置されたケースの縁までの距離をｒ’、ＬＥＤ光源から光反射部までの距離をｈ’、光反射部の勾配をαとすると、ｒ’／ｈ’≒ｔａｎ２αの関係を満たすことを特徴とする請求項１１記載の照明具。
【請求項１３】
光反射部は、ガラスの表面に金属箔や遮光度の高い塗料を付着させることにより形成してあることを特徴とする請求項１，２，９，１０，１１又は１２記載の照明具。
【請求項１４】
金属箔や遮光度の高い塗料により模様が形成されていることを特徴とする請求項１３記載の照明具。
【発明の詳細な説明】
【技術分野】
【０００１】
本発明は、ＬＥＤ光源を利用する照明具に関する。
【背景技術】
【０００２】
近年、白熱電球の代替えとなり得るＬＥＤ電球が広く普及しつつある。ＬＥＤ電球は、例えば特許文献１に示すように、ソケットに接続する口金に連続してアルミ合金製の略円錐形のケースを備え、ケース内にＬＥＤチップが多数配置された基板と電気回路を収容し、ガラス製のグローブをケースの開放端部に嵌め込んだ構造となっている。
【０００３】
ＬＥＤ電球は、ケース内に電気回路が埋め込まれているため、点灯するとケースの表面が非常に高温になり、子供などが触ってやけどをしたり、燃えやすいもののそばに設置してあると火災が発生するおそれがある。また、ケースとグローブとの嵌合部から水が浸入すると、ＬＥＤ基板や電気回路が故障するため、屋外や風呂場などの水のかかる場所では使用できない。またＬＥＤ電球は、ＬＥＤを利用している関係上、正面側にしか光が照射されず、白熱電球のように電球のまわりを全体的に照らすことができない。
【先行技術文献】
【特許文献】
【０００４】
【特許文献１】特開２０１１−８２１３２号公報
【発明の概要】
【発明が解決しようとする課題】
【０００５】
本発明は以上に述べた実情に鑑み、ＬＥＤ光源を利用しながら、まわりを全体的に照らすことのできる照明具の提供を目的とする。さらに本発明は、やけどや火災を防止でき、また屋外等の水のかかる場所でも使用できる照明具の提供を目的とする。
【課題を解決するための手段】
【０００６】
上記の課題を達成するために請求項１記載の発明による照明具は、ＬＥＤ光源と、ＬＥＤ光源の前方に設けた光反射部を備え、光反射部は、中心に向かうにつれてＬＥＤ光源に近づくように傾斜を持たせてあることを特徴とする。
【０００７】
請求項２記載の発明による照明具は、請求項１記載の発明の構成に加え、ＬＥＤ光源が設置されたケースの半径をｒ、ＬＥＤ光源から光反射部までの距離をｈ、光反射部の勾配をαとすると、ｒ／ｈ≒ｔａｎ２αの関係を満たすことを特徴とする。
【０００８】
請求項３記載の発明による照明具は、透光性を有する有底筒状の本体と、本体の開口部を塞ぐ蓋とを備え、内部にＬＥＤ電球を収容することを特徴とする。
【０００９】
請求項４記載の発明による照明具は、請求項３記載の発明の構成に加え、蓋が内蓋と外蓋の二重構造となっており、内蓋と外蓋の間のスペースに乾燥剤を設けてあることを特徴とする。
【００１０】
請求項５記載の発明による照明具は、請求項３又は４記載の発明の構成に加え、本体には、ＬＥＤ電球が発する光を周囲に拡散させるための加工が施されていることを特徴とする。
【００１１】
請求項６記載の発明による照明具は、請求項３，４又は５記載の発明の構成に加え、本体又は蓋に放熱板が外周側に張り出して設けてあることを特徴とする。
【００１２】
請求項７記載の発明による照明具は、請求項６記載の発明の構成に加え、放熱板が本体に一体的に形成され、且つ放熱板に模様が刻まれていることを特徴とする。
【００１３】
請求項８記載の発明による照明具は、請求項３，４，５，６又は７記載の発明の構成に加え、本体の側壁は、底部側に向かうにつれて径が小さくなるテーパー部を有することを特徴とする。
【００１４】
請求項９記載の発明による照明具は、請求項３，４，５，６，７又は８記載の発明の構成に加え、本体の底部にＬＥＤ電球の光を反射する光反射部を有し、光反射部は、中心に向かうにつれてＬＥＤ光源に近づくように傾斜を持たせてあることを特徴とする。
【００１５】
請求項１０記載の発明による照明具は、請求項９記載の発明の構成に加え、ＬＥＤ光源が設置されたケースの半径をｒ、ＬＥＤ光源から光反射部までの距離をｈ、光反射部の勾配をαとすると、ｒ／ｈ≒ｔａｎ２αの関係を満たすことを特徴とする。
【００１６】
請求項１１記載の発明による照明具は、請求項１又は９記載の発明の構成に加え、光反射部は、中心をＬＥＤ光源の中心に対してずらして配置してあることを特徴とする。
【００１７】
請求項１２記載の発明による照明具は、請求項１１記載の発明の構成に加え、ＬＥＤ光源からＬＥＤ光源が設置されたケースの縁までの距離をｒ’、ＬＥＤ光源から光反射部までの距離をｈ’、光反射部の勾配をαとすると、ｒ’／ｈ’≒ｔａｎ２αの関係を満たすことを特徴とする。
【００１８】
請求項１３記載の発明による照明具は、請求項１，２，９，１０，１１又は１２記載の発明の構成に加え、光反射部は、ガラスの表面に金属箔や遮光度の高い塗料を付着させることにより形成してあることを特徴とする。
【００１９】
請求項１４記載の発明による照明具は、請求項１３記載の発明の構成に加え、金属箔や遮光度の高い塗料により模様が形成されていることを特徴とする。
【発明の効果】
【００２０】
請求項１記載の発明による照明具は、ＬＥＤ光源の前方に光反射部を備えており、光反射部は中心に向かうにつれてＬＥＤ光源に近づくように傾斜を持たせてあることで、ＬＥＤ光源から正面に向けて照射される光が光反射部で反射し、ＬＥＤ光源が設置されたケースの背面側に（上向きに設置したときは下向きに）光を照射させることができるので、ビーム角が大きくなり、まわりを全体的に照らすことができる。
【００２１】
請求項２記載の発明による照明具は、ＬＥＤ光源が設置されたケースの半径をｒ、ＬＥＤ光源から光反射部までの距離をｈ、光反射部の勾配をαとすると、ｒ／ｈ≒ｔａｎ２αの関係を満たすことで、ＬＥＤ光源から照射される光がＬＥＤ光源が設置されたケースの外に出るように反射されるため、光のエネルギーのロスを極力なくし、且つビーム角を最大にできる。
【００２２】
請求項３記載の発明による照明具は、透光性を有する有底筒状の本体と、本体の開口部を塞ぐ蓋とを備え、内部にＬＥＤ電球を収容することで、ＬＥＤ電球のケースが高温に発熱しても、本体と蓋はそれほど熱くならず、子供が触ってやけどをしたり火災が発生したりするのを防止できる。また、ＬＥＤ電球が本照明具の内部に収容されており、ＬＥＤ電球が濡れることがないため、屋外等の水のかかる場所でも使用することができる。
【００２３】
請求項４記載の発明による照明具は、蓋が内蓋と外蓋の二重構造となっており、内蓋と外蓋の間のスペースに乾燥剤を設けてあることで、乾燥剤がＬＥＤ電球の収容スペースの湿気を吸収し、ＬＥＤ電球の故障を防止できる。また、乾燥剤はＬＥＤ電球が発する熱により乾燥した状態になるから、内部の湿気を吸収する効果を長期間維持できる。
【００２４】
請求項５記載の発明による照明具は、本体にＬＥＤ電球が発する光を周囲に拡散させるための加工が施されていることで、本照明具のまわりを全体的に照らすことができる。
【００２５】
請求項６記載の発明による照明具は、本体又は蓋に放熱板が外周側に張り出して設けてあることで放熱が促進され、本体や蓋が熱くなるのを防止できる。
【００２６】
請求項７記載の発明による照明具は、放熱板が本体に一体的に形成され、且つ放熱板に模様が刻まれているため、放熱板により放熱が促進されると共に、放熱板に刻んだ模様が光で浮かび上がるため、より魅力的なものとなる。
【００２７】
請求項８記載の発明による照明具は、本体の側壁に底部側に向かうにつれて径が小さくなるテーパー部を有することで、ＬＥＤ電球から照射された光がテーパー部で屈折・反射・透過することで、周囲がより明るくなる。
【００２８】
請求項９記載の発明による照明具は、本体の底部にＬＥＤ電球の光を反射する光反射部を有し、光反射部は、中心に向かうにつれてＬＥＤ光源に近づくように傾斜を持たせてあることで、ＬＥＤ光源から正面に向けて照射される光が光反射部で反射し、ＬＥＤ光源が設置されたケースの背面側に（ＬＥＤ電球を上向きに設置したときは下向きに）光を照射させることができ、ビーム角を大きくできる。
【００２９】
請求項１０記載の発明による照明具は、ＬＥＤ光源が設置されたケースの半径をｒ、ＬＥＤ光源から光反射部までの距離をｈ、光反射部の勾配をαとすると、ｒ／ｈ≒ｔａｎ２αの関係を満たすことで、ＬＥＤ光源から照射される光がケースの外に出るように反射されるため、光のエネルギーのロスを極力なくし、且つビーム角を最大にできる。
【００３０】
請求項１１記載の発明による照明具は、光反射部は、中心をＬＥＤ光源の中心に対してずらして配置してあることで、周囲のうちの所定の範囲に光を集中的に反射させられ、必要なところを効率よく照らすことができる。
【００３１】
請求項１２記載の発明による照明具は、ＬＥＤ光源からＬＥＤ光源が設置されたケースの縁までの距離をｒ’、ＬＥＤ光源から光反射部までの距離をｈ’、光反射部の勾配をαとすると、ｒ’／ｈ’≒ｔａｎ２αの関係を満たすことで、ＬＥＤ光源から照射される光がケースの外に出るように反射されるため、光のエネルギーのロスを極力なくし、光量の少ないＬＥＤ光源であってもその光を有効に利用できる。
【００３２】
請求項１３記載の発明による照明具は、光反射部をガラスの表面に金属箔や遮光度の高い塗料を付着させることにより形成したので、光反射部が鏡のようになって光をよく反射する。また、光反射部をガラス製の本体の底部に設けた場合には、本体は開口部を蓋で塞ぐことで密閉されているため、内面が汚れることがなく、鏡の効果を長期にわたって維持することができる。
【００３３】
請求項１４記載の発明による照明具は、金属箔や遮光度の高い塗料により模様が形成されていることで、消灯時には模様をデザイン画として楽しむことができる。底部の金属箔や遮光度の高い塗料が付着していない部分からは光が透過するため、ＬＥＤ電球の正面側も照らすことができ、模様を投影することもできる。
【図面の簡単な説明】
【００３４】
【図１】（ａ）は本発明の照明具の第１実施形態を示す正面図、（ｂ）は同照明具の縦断面図である。
【図２】同照明具を分解した状態で示す縦断面図である。
【図３】（ａ）は本発明の照明具の第２実施形態を示す正面図、（ｂ）は同照明具の縦断面図である。
【図４】同照明具を分解した状態で示す縦断面図である。
【図５】本発明の照明具の応用例を示す正面図である。
【図６】本発明の照明具の他の応用例を示す斜視図である。
【図７】（ａ）は本発明の照明具の第３実施形態を示す平面図、（ｂ）は同照明具の正面図である。
【図８】同照明具の縦断面図である。
【図９】同照明具における光の反射の状態を表すモデル図である。
【図１０】本発明の照明具の第４実施形態を示す縦断面図である。
【図１１】第４実施形態の照明具の変形例を示す平面図と縦断面図である。
【図１２】同照明具の斜視図である。
【図１３】第４実施形態の照明具の他の変形例を示す平面図と縦断面図である。
【図１４】本発明の照明具の第５実施形態を示す縦断面図である。
【図１５】同照明具の斜視図である。
【図１６】第５実施形態の照明具の変形例を示す平面図と縦断面図である。
【図１７】同照明具の斜視図である。
【図１８】第５実施形態の照明具の他の変形例を示す平面図と縦断面図である。
【発明を実施するための形態】
【００３５】
以下、本発明の実施の形態を図面に基づいて説明する。図１，２は、本発明の照明具の第１実施形態を示している。本照明具は、透明なガラスで形成された有底筒状の本体１と、本体１の上部に形成された開口部１ａを塞ぐ樹脂製の蓋２とで構成され、内部にソケット３とＬＥＤ電球４を収容している。本体１は、開口部１ａの内径がＬＥＤ電球４の最大外径よりも大きくなっており、蓋２を取り外した状態で開口部１ａより本体１内にＬＥＤ電球４を収容する。蓋２は、ネジ５ａ，５ｂにより本体１の開口部１ａに着脱自在に取付けられ、内部に水が入らないように本体１の開口部１ａを密閉して塞いでいる。蓋２には、ソケット３からのびる電線６を通す孔７が形成してあり、孔７に電線６を通した上でシール材８でシールしてある。ＬＥＤ電球４は、１００Ｖ，６．０Ｗの市販のものであり、口金９をソケット３に捩じ込んで取付けてある。
【００３６】
本照明具は、内部にＬＥＤ電球４を密閉した状態で収容しており、ＬＥＤ電球４のまわりに空間１０があるため、ＬＥＤ電球４のケース４ａが高温に発熱しても、本体１や蓋２はさほど熱くならず、子供が触ってやけどをしたり火災が発生したりするのを防止できる。また、ＬＥＤ電球４が本照明具の内部に収容されており、ＬＥＤ電球４が濡れることがないため、屋外等の水のかかる場所でも使用することができる。また、蓋２が着脱自在であり、蓋２を取り外すことでＬＥＤ電球４を本体１の開口部１ａから出し入れできるため、ＬＥＤ電球４の取付けや交換が容易に行える。本照明具は、構造が単純なので、安価に製造することができ、例えば屋外の公園や道路脇、住宅の庭先や玄関へのアプローチなど、場所を選ばず幅広く用いることができる。
【００３７】
図３，４は、本発明の照明具の第２実施形態を示している。本照明具は、蓋２が内蓋２ａと外蓋２ｂの二重構造になっており、内蓋２ａと外蓋２ｂの間のスペース１１に乾燥剤１２を設置してある。本体１は、透明な樹脂で形成してある。内蓋２ａと外蓋２ｂは、それぞれ本体１の開口部１ａに嵌合取付けしてある。内蓋２ａは、中央部に設けた孔１３にソケット３を挿入して保持しており、その周囲に通気孔１４が形成してある。外蓋２ｂは、ソケット３の挿通孔１５を有し、挿通孔のまわりをシール材８でシールしてある。
【００３８】
本照明具は、蓋２が内蓋２ａと外蓋２ｂの二重構造となっており、内蓋２ａと外蓋２ｂの間のスペース１１に乾燥剤１２を設けてあることで、乾燥剤１２がＬＥＤ電球４を収容する本体１内の空間１０の湿気を吸収し、ＬＥＤ電球４の故障を防止できる。また、乾燥剤１２はＬＥＤ電球４が発する熱により乾燥した状態になるから、内部の湿気を吸収する効果を長期間維持できる。本体１を樹脂で形成したことで、ガラスで形成したものよりも熱くなりにくい。
【００３９】
図５は、本発明の照明具の応用例を示している。本照明具は、本体１の表面に多数の溝１６が刻まれており、これらの溝１６によりＬＥＤ電球４から発せられる光が拡散し、本体１のまわりが全体的に光るようにしている。
本体１に付する溝１６は任意の形態で設けることができ、例えば幾何学的な模様で設けたり、クリスタル調に溝１６を刻むこともできる。また、溝１６を刻む代わりに、本体１の表面を荒らしてすりガラス調とすることもでき、その場合には本体１が全体的にぼんやりと光るようになる。
【００４０】
図６は、本発明の照明具の他の応用例を示している。図６（ａ）のものは、本体１の表面に複数のリング状の放熱板１７を、本体１の外周側に張り出すように本体１と一体成型してある。各放熱板１７には、溝や孔から成る模様１８が刻まれている。このように本体１に放熱板１７を設けることで、本体１の放熱が促進され、本体１が熱くなるのをより確実に防止できる。さらに放熱板１７に模様１８が刻まれていることで、放熱板１７による放熱がより一層促進されると共に、放熱板１７に刻んだ模様１８が光で浮かび上がるため、より魅力的なものとなる。
放熱板１７は、図６（ｂ）に示すように、本体１のまわりに放射状に分散して設けることもできる。また放熱板１７は、蓋２に設けることもできる。
【００４１】
図７，８は、本発明の照明具の第３実施形態を示している。本照明具は、円柱状の支柱１９の上に設置され、下部が開放したガラス製の本体１と、本体１の開口部１ａを塞ぐ樹脂製の蓋２とを備え、内部にＬＥＤ電球４を上向きに設置してある。
【００４２】
本体１は、側壁に底部２０側に向かうにつれて径が小さくなるテーパー部２１を有している。これにより、ＬＥＤ電球４から照射された光がテーパー部２１で屈折・反射・透過するため、周囲がより明るくなる。
本体１の底部２０は、中心に向かうにつれてＬＥＤ電球の光源４ｂに近づくように円錐形にくぼんだ形になっている。底部２０の表面には、図７（ａ）に示すように、金属箔や遮光度の高い塗料２２を付着させて模様２３が形成してある。底部２０の金属箔や遮光度の高い塗料２２を付着させた部分は、ちょうど鏡のようになり、光反射部２４となっており、ＬＥＤ電球の光源４ｂから照射される上向きの光を下向きに反射する。金属箔としては、例えば金箔や銀箔等を用いることができる。遮光度の高い塗料としては、例えば漆等を用いることができる。
【００４３】
本照明具は、ＬＥＤ電球４のケース４ａの半径ｒ、ＬＥＤ電球４の光源（ＬＥＤチップ）４ｂから本体１の底部２０（光反射部２４）までの距離ｈ、本体１の底部２０（光反射部２４）の勾配αとの間に、ｒ／ｈ≒ｔａｎ２αの関係を満たすように設計されている。このようにする理由について、図９に基づいて説明する。
ビーム角を大きくするには、底部２０の勾配αを小さくすればよいが、底部２０で反射した光がＬＥＤ電球４のケース４ａに当たると、光のエネルギーがロスする。ビーム角を最大にして光のエネルギーのロスを極力なくすには、図９に示すように、ＬＥＤ電球４の中心部から照射される光２５が底部２０で反射し、反射光２６がＬＥＤ電球４のケース４ａの半径ｒの外に出るようにすればよい。このとき、光が反射するポイントをａとし、ａ点に引いた垂線２７と水平線２８との成す角は（９０°―α）となるから、入射光２５の延長線２９と垂線２７との成す角はαとなり、反射光２６の延長線３０と垂線２７との成す角もαとなる。入射光２５と反射光２６の間の角は、これらの角の対角にあたるから、２αとなる。よって、ｒ／ｈ＝ｔａｎ２αの関係が成り立つ。このときのビーム角は、｛９０°＋（９０°−２α）｝×２であるから、３６０°−４αになる。
具体例を示すと、Ｅ１７口径のＬＥＤ電球４を用いるとすると、そのケース４ａの半径ｒは１７．５ｍｍなので、例えばｈを３０．３ｍｍとすると、ｒ／ｈ＝ｔａｎ２αの関係式より、底部２０の勾配αは１５°と導かれる。このときのビーム角は、３６０°−４αより、３００°となる。ＬＥＤ電球４自体のビーム角は１１５°なので、これと比較して大幅にビーム角が拡大することがわかる。
【００４４】
本体１の底部２０の勾配αは、中心部ではｒ／ｈ＝ｔａｎ２αの関係が成り立つように構成し、外周側の部分をそれよりも緩い勾配とすることもできる。例えば、上述の具体例で底部の中心部の勾配αを１５°とし、外周側の部分の勾配αをそれよりも緩い勾配（例えば５°ないし１０°）とすることもできる。そうすることで、ビーム角をより大きくすることができる。
【００４５】
以上に述べたように本照明具は、本体１の底部２０に中心に向かうにつれてＬＥＤ電球の光源４ｂに近づくように傾斜した光反射部２４を設けたことで、ＬＥＤ電球４を上向きに設置しながら、下の方まで照らすことができ、屋外や屋内の照明として好適である。しかも、ＬＥＤ電球４のケース４ａの半径ｒ、ＬＥＤ電球４の光源４ｂから本体１の底部２０までの距離ｈ、本体１の底部２０の勾配αとの間に、ｒ／ｈ≒ｔａｎ２αの関係を満たすようにしたことで、ＬＥＤ電球４の中心部から照射される光がＬＥＤ電球４のケース４ａの外に出るように反射されるため、光のエネルギーをロスすることなく下方や側方を効率よく照らすことができ、且つビーム角を最大にできる。
光反射部２４は、ガラス製の本体１の底部２０表面に金属箔や遮光度の高い塗料２２を付着させることにより、本体１の底部２０が鏡のようになって光をよく反射する。また、本体１は開口部１ａを蓋２で塞ぐことで密閉されているため、内面が汚れることがなく、鏡の効果を半永久的に維持することができる。さらに、金属箔や遮光度の高い塗料２２により模様２３が形成されていることで、消灯時には模様２３をデザイン画として楽しむことができる。底部２０の金属箔や遮光度の高い塗料２２が付着していない部分からは光が透過するため、上方も照らすことができ、尚且つ天井等に模様２３を投影することもできる。
さらに、本体１の側壁に底部側に向かうにつれて径が小さくなるテーパー部２１を有することで、ＬＥＤ電球４から照射された光がテーパー部２１で屈折・反射・透過するため、周囲がより明るくなる。
さらに本照明具は、ＬＥＤ電球４を上向きに配置したので、支柱１９等の上に容易に設置することができ、配線も容易である。
【００４６】
上述したような光反射部２４は、図１０に示すように、ＬＥＤ電球４の上部に取付けられたガラスカバー３１に設けることもできる（第４実施形態）。本実施形態の照明具は、ＬＥＤ電球４のケース４ａの半径をｒ、ＬＥＤ光源４ｂから光反射部２４までの距離をｈ、光反射部２４の勾配をαとすると、ｒ／ｈ≒ｔａｎ２αの関係を満たすようになっている。
このように形成した場合も、ＬＥＤ光源４ｂから照射される光が、光反射部２４によりＬＥＤ電球４のケース４ａの外に出るように反射されるため、光のエネルギーをロスすることなく下方や側方を効率よく照らすことができ、且つビーム角を最大にできる。
【００４７】
図１１，１２は、上記第４実施形態の照明具の変形例を示している。この例では、ＬＥＤ電球４の上部に取付けられたガラスカバー３１に光反射部２４を有しており、光反射部２４はその中心２４ａに向かうにつれてＬＥＤ光源４ｂに近付くように傾斜した円錐状面となっており、光反射部の中心２４ａはＬＥＤ電球４のケース４ａの中心に対して右側にずれた位置に配置されている。ガラスカバー２４の光反射部２４より右側の部分２４ｂは、光反射部２４と同様に円錐状面であってもよいが、ＬＥＤ光源４ｂと対向しないため平坦面としている。なお、図１１（ａ）と図１２では図示を省略しているが、光反射部２４の表面には金属箔や遮光度の高い塗料２２を付着し、これによって適宜の模様２３が形成されている。ＬＥＤ光源４ｂはケース４ａの中央に配置してあり、よって光反射部の中心２４ａはＬＥＤ光源４ｂの中心に対して右側にずれている。本実施形態の照明具は、ＬＥＤ光源４ｂからケース４ａの縁までの距離（外寸）をｒ’、ＬＥＤ光源４ｂから光反射部２４までの距離をｈ’、光反射部の勾配をαとすると、ｒ’／ｈ’＝ｔａｎ２αの関係を満たすようになっている。
本照明具は、光反射部の中心２４ａをＬＥＤ光源４ｂの中心に対してずらして配置したことで、ＬＥＤ電球４の周囲のうちの一部の領域（図示のものでは左半分の領域）に光を多く反射・拡散させることができる。したがって、壁３２等の近くに設置したりする場合に、壁３２等の反対側を明るく照らすことができる。しかも、ｒ’／ｈ’＝ｔａｎ２αの関係を満たしていることで、ＬＥＤ光源４ｂから照射される光が、光反射部２４によりＬＥＤ電球４のケース４ａの外に出るように反射されるため、光のエネルギーをロスすることなく下方や側方を効率よく照らすことができ、ＬＥＤ光源４ｂの光量が少ない場合でも光を有効に利用できる。
【００４８】
図１３は、第４実施形態の照明具の他の変形例を示している。この例では、光反射部２４をその中心２４ａがＬＥＤ電球４のケース４ａの中心と一致するように設けてあり、ＬＥＤ光源４ｂをＬＥＤ電球４のケース４ａの中心に対してずらして配置してある。
本照明具も、図１１のものと同様に、ＬＥＤ電球４の周囲のうちの一部の領域（図示のものでは左半分の領域）に光を多く反射・拡散させ、ＬＥＤ光源４ｂの光を効率よく利用できる。
【００４９】
さらに光反射部２４は、図１４，１５に示すように、ＬＥＤ電球４のケース４ａ上に設けることもできる（第５実施形態）。本実施形態の照明具は、ＬＥＤ電球４のケース４ａの半径をｒ、ＬＥＤ光源４ｂから光反射部２４までの距離をｈ、光反射部２４の勾配をαとすると、ｒ／ｈ≒ｔａｎ２αの関係を満たすようになっている。
このように形成した場合も、ＬＥＤ光源４ｂから照射される光が、光反射部２４によりＬＥＤ電球４のケース４ａの外に出るように反射されるため、光のエネルギーをロスすることなく下方や側方を効率よく照らすことができ、且つビーム角を最大にできる。
【００５０】
図１６，１７は、上記第５実施形態の照明具の変形例を示している。光反射部２４はその中心２４ａに向かうにつれてＬＥＤ光源４ｂに近付くように傾斜した円錐状面となっており、光反射部の中心２４ａはＬＥＤ電球４のケース４ａの中心に対して右側にずれた位置に配置され、円錐の右半分はＬＥＤ光源４ｂと対向しないため無くしてある。なお、図１６（ａ）と図１７では図示を省略しているが、光反射部２４の表面には金属箔や遮光度の高い塗料２２を付着し、これによって適宜の模様２３が形成されている。ＬＥＤ光源４ｂはケース４ａの中央に配置してあり、よって光反射部の中心２４ａはＬＥＤ光源４ｂの中心に対して右側にずれている。本実施形態の照明具は、ＬＥＤ光源４ｂからケース４ａの縁までの距離（外寸）をｒ’、ＬＥＤ光源４ｂから光反射部２４までの距離をｈ’、光反射部の勾配をαとすると、ｒ’／ｈ’＝ｔａｎ２αの関係を満たすようになっている。
本照明具は、光反射部の中心２４ａをＬＥＤ光源４ｂの中心に対してずらして配置したことで、ＬＥＤ電球４の周囲のうちの一部の領域（図示のものでは左半分の領域）に光を多く反射・拡散させることができる。したがって、壁３２等の近くに設置したりする場合に、壁３２等の反対側を明るく照らすことができる。しかも、ｒ’／ｈ’＝ｔａｎ２αの関係を満たしていることで、ＬＥＤ光源４ｂから照射される光が、光反射部２４によりＬＥＤ電球４のケース４ａの外に出るように反射されるため、光のエネルギーをロスすることなく下方や側方を効率よく照らすことができ、ＬＥＤ光源４ｂの光量が少ない場合でも光を有効に利用できる。
【００５１】
図１８は、第５実施形態の照明具の他の変形例を示している。この例では、光反射部２４をその中心２４ａがＬＥＤ電球４のケース４ａの中心と一致するように設けてあり、ＬＥＤ光源４ｂをＬＥＤ電球４のケース４ａの中心に対してずらして配置してある。
本照明具も、図１６のものと同様に、ＬＥＤ電球４の周囲のうちの一部の領域（図示のものでは左半分の領域）に光を多く反射・拡散させ、ＬＥＤ光源４ｂの光を効率よく利用できる。
【００５２】
本発明は以上に述べた実施形態に限定されない。本体と蓋の形状、材質は、適宜変更することができる。
【符号の説明】
【００５３】
１  本体
１ａ  開口部
２  蓋
２ａ  内蓋
２ｂ  外蓋
３  ソケット
４  ＬＥＤ電球
４ａ  ケース
４ｂ  ＬＥＤ光源
１２  乾燥剤
１６  溝（光拡散加工）
１７  放熱板
１８  模様
２０  本体の底部（光反射部）
２１  テーパー部
２２  金属箔や遮光度の高い塗料
２３  模様
２４  光反射部
ｒ  ケース４ａの半径
ｈ  光源から本体の底部までの距離（ＬＥＤ光源から光反射部までの距離）
α  底部の勾配（光反射部の勾配）
【図１】
2014013740.tif 000003
【図２】
2014013740.tif 000004
【図３】
2014013740.tif 000005
【図４】
2014013740.tif 000006
【図５】
2014013740.tif 000007
【図６】
2014013740.tif 000008
【図７】
2014013740.tif 000009
【図８】
2014013740.tif 000010
【図９】
2014013740.tif 000011
【図１０】
2014013740.tif 000012
【図１１】
2014013740.tif 000013
【図１２】
2014013740.tif 000014
【図１３】
2014013740.tif 000015
【図１４】
2014013740.tif 000016
【図１５】
2014013740.tif 000017
【図１６】
2014013740.tif 000018
【図１７】
2014013740.tif 000019
【図１８】
2014013740.tif 000020